(57)【要約】【課題】小規模且つ低消費電力で、映像データ、音声データの再生を行うことができる情報再生装置及び電子機器を提供する。【解決手段】情報再生装置は、映像データを生成するための第１のＴＳパケット、音声データを生成するための第２のＴＳパケット、それ以外の第３のＴＳパケットを、トランスポートストリームから抽出するＴＳ分離部２１０と、第１〜第３のＴＳパケットのそれぞれが格納される第１〜第３の記憶領域を有するメモリ２２０と、第１の記憶領域の第１のＴＳパケットに基づいて映像デコード処理を行う映像デコーダ２３０と、第２の記憶領域の第２のＴＳパケットに基づいて音声デコード処理を行う音声デコーダ２４０とを含む。映像デコーダ２３０と音声デコーダ２４０とが、互いに独立して、メモリ２２０から第１及び第２のＴＳパケットを読み出し、映像デコード処理及び音声デコード処理を行う。【選択図】図６
2007166597.tif 000002
【特許請求の範囲】
【請求項１】
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行うことを特徴とする情報再生装置。
【請求項２】
請求項１において、
前記メモリが、
前記第１のＴＳパケットを用いて生成される第１のＰＥＳ（Packetized Elementary Stream）パケットからＰＥＳヘッダを削除した映像用ＥＳ（Elementary Stream）データが格納される第４の記憶領域を有し、
前記映像デコーダが、
前記第１のＴＳパケットから前記第１のＰＥＳパケットを生成し、該第１のＰＥＳパケットから前記ＰＥＳヘッダを削除する処理を行った後、前記映像用ＥＳデータを前記第４の記憶領域に格納し、その後、該第４の記憶領域から読み出した映像用ＥＳデータに基づいて前記映像デコード処理を行うことを特徴とする情報再生装置。
【請求項３】
請求項２において、
前記映像デコード処理及び前記音声デコード処理の少なくとも１つの処理開始を指示するホストによって、Ｈ．２６４／ＡＶＣ（Advanced Video Coding）データとＭＰＥＧ−２ＡＡＣ（Advanced Audio Coding）データとが多重化されたＭＰ４（Moving Picture Experts Group phase 4）データ、３ＧＰ（3rd Generation Partnership Project）データ又は３Ｇ２（3rd Generation Partnership Project 2）データから生成される映像用ＥＳデータが、前記第４の記憶領域に格納され、
前記映像デコーダが、
前記第４の記憶領域から読み出した映像用ＥＳデータに基づいて前記映像デコード処理を行うことを特徴とする情報再生装置。
【請求項４】
請求項１乃至３のいずれかにおいて、
前記メモリが、
前記第２のＴＳパケットを用いて生成される第２のＰＥＳ（Packetized Elementary Stream）パケットからＰＥＳヘッダを削除した音声用ＥＳ（Elementary Stream）データが格納される第５の記憶領域を有し、
前記音声デコーダが、
前記第２のＴＳパケットから前記第２のＰＥＳパケットを生成し、該第２のＰＥＳパケットからＰＥＳヘッダを削除する処理を行った後、前記音声用ＥＳデータを前記第５の記憶領域に格納し、その後、該第５の記憶領域から読み出した音声用ＥＳデータに基づいて前記音声デコード処理を行うことを特徴とする情報再生装置。
【請求項５】
請求項４において、
Ｈ．２６４／ＡＶＣ（Advanced Video Coding）データとＭＰＥＧ−２ＡＡＣ（Advanced Audio Coding）データとが多重化されたＭＰ４（Moving Picture Experts Group phase 4）データ、３ＧＰ（3rd Generation Partnership Project）データ又は３Ｇ２（3rd Generation Partnership Project 2）データから生成され、前記映像デコード処理及び前記音声デコード処理の少なくとも１つの処理開始を指示するホストからの音声用ＥＳデータが、前記第５の記憶領域に格納され、
前記音声デコーダが、
前記第５の記憶領域から読み出した音声用ＥＳデータに基づいて前記音声デコード処理を行うことを特徴とする情報再生装置。
【請求項６】
請求項１乃至３において、
前記メモリが、
前記第２のＴＳパケットを用いて生成される第２のＰＥＳ（Packetized Elementary Stream）パケットからＰＥＳヘッダを削除した音声用ＥＳ（Elementary Stream）データが格納される第５の記憶領域を有し、
ＭＰＥＧ−２ＡＡＣ（Advanced Audio Coding）データから生成され、前記映像デコード処理及び前記音声デコード処理の少なくとも１つの処理開始を指示するホストからの音声用ＥＳデータが、前記第５の記憶領域に格納され、
前記音声デコーダが、
前記第５の記憶領域から読み出した音声用ＥＳデータに基づいて前記音声デコード処理を行うことを特徴とする情報再生装置。
【請求項７】
請求項１乃至６のいずれかにおいて、
前記メモリが、
前記映像デコード処理及び前記音声デコード処理の少なくとも１つの処理開始を指示するホストによって、前記第１〜第３のＴＳパケットが多重化されたトランスストリームが格納される第６の記憶領域を有し、
前記分離処理部が、
前記第６の記憶領域から読み出されたトランスポートストリームから、前記第１〜第３のＴＳパケットの各ＴＳパケットを抽出し、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行うことを特徴とする情報再生装置。
【請求項８】
請求項１乃至７のいずれかにおいて、
前記映像デコーダ及び前記音声デコーダの少なくとも１つが中央演算処理装置を含み、
前記情報再生装置の初期化処理後に、前記情報再生装置の外部から、前記中央演算処理装置が前記映像デコード処理及び前記音声デコード処理の少なくとも１つを実現するためのプログラムが読み込まれ、
前記中央演算処理装置が、
前記プログラムに従って前記映像デコード処理及び前記音声デコード処理の少なくとも１つの処理を実現することを特徴とする情報再生装置。
【請求項９】
請求項１乃至８のいずれかにおいて、
前記映像データ及び音声データのうち前記映像データのみを再生するときは、前記音声デコーダの動作を停止させ、
前記映像データ及び音声データのうち前記音声データのみを再生するときは、前記映像デコーダの動作を停止させることを特徴とする情報再生装置。
【請求項１０】
請求項１乃至９のいずれか記載の情報再生装置と、
前記情報再生装置に対し、前記映像デコード処理及び前記音声デコード処理の少なくとも１つの処理開始を指示するホストとを含むことを特徴とする電子機器。
【請求項１１】
チューナと、
前記チューナからのトランスポートストリームが供給される請求項１乃至９のいずれか記載の情報再生装置と、
前記情報再生装置に対し、前記映像デコード処理及び前記音声デコード処理の少なくとも１つの処理開始を指示するホストとを含むことを特徴とする電子機器。
【発明の詳細な説明】
【技術分野】
【０００１】
本発明は、情報再生装置及び電子機器に関する。
【背景技術】
【０００２】
地上アナログ放送に替わって登場する地上デジタル放送では、画像及び音声の高品質化に加えて種々の新サービスの提供に期待が寄せられている。地上デジタル放送の導入によって新たに提供されるサービスの１つに、携帯端末向けサービスとして、いわゆる「１セグメント放送」がある。「１セグメント放送」では、ＱＰＳＫ（Quadrature Phase Shift Keying）変調方式で変調されたデジタル変調波をＯＦＤＭ（Orthogonal Frequency Division Multiplexing）変調方式で多重化することで、携帯端末の移動時でも安定した放送受信が可能となる。
【０００３】
このような携帯端末の一例として、携帯電話機がある。携帯電話機に「１セグメント放送」の受信機能を付加する場合、圧縮処理後の映像データ及び音声データが多重化されたトランスポートストリームの分離処理や分離処理後のデータのデコード処理を行う必要がある。この場合、高い処理能力を有する付加装置が必要となり、その結果として消費電力の増大を招き、携帯端末のバッテリ駆動時間を短縮させる可能性がある。
【０００４】
例えば特許文献１には、低い処理能力の複数のプロセッサを並列に設け、ＭＰＥＧ−２（Moving Picture Experts Group Phase 2）規格のデコード処理を行う構成が開示されている。即ち、ＭＰＥＧ−２規格に従って符号化された映像信号を、複数のビットストリームに分離し、各ビットストリームに対し可変長復号化処理と動き補償処理とを行い、各処理を実現するプロセッサの処理能力を高くする必要性を無くしている。
【特許文献１】特開平８−１３０７４５号公報
【発明の開示】
【発明が解決しようとする課題】
【０００５】
しかしながら、特許文献１に開示された構成では、処理の内容が固定される上に、規模が増大してしまい高コスト化を招くという問題がある。特に、「１セグメント放送」の受信、再生のような複雑な処理のそれぞれに特許文献１の構成を採用すると、携帯端末への実装することが困難である。
【０００６】
これに対して、これまでの携帯電話機の電話機能を実現する処理を行う電話用ＣＰＵ（Central Processing Unit）の他に、映像及び音声のデコード処理等を行うマルチメディア処理ＣＰＵを追加し、マルチメディア処理ＣＰＵにより付加機能を実現させる構成を採用することが考えられる。
【０００７】
しかしながら、「１セグメント放送」のビットレートを考慮すると、その帯域のほとんどが映像データや音声データの帯域となり、データ放送自体の帯域が狭くなると考えられる。また、マルチメディア処理ＣＰＵで実現できる処理のうち、映像データや音声データの再生処理のみで済む場合もある。それにもかかわらず、マルチメディア処理ＣＰＵを採用する構成では、マルチメディア処理ＣＰＵを常に動作させる必要があり、消費電力の増大を招く。
【０００８】
このように、携帯端末への実装を考慮すると、小規模且つ低消費電力で、高い処理能力が必要となる。
【０００９】
本発明は、以上のような技術的課題に鑑みてなされたものであり、その目的とするところは、小規模且つ低消費電力で、映像データ、音声データの再生を行うことができる情報再生装置及び電子機器を提供することにある。
【課題を解決するための手段】
【００１０】
上記課題を解決するために本発明は、
映像データ及び音声データの少なくとも１つを再生するための情報再生装置であって、
映像データを生成するための第１のＴＳ（Transport Stream）パケット、音声データを生成するための第２のＴＳパケット、前記第１及び第２のＴＳパケット以外の第３のＴＳパケットを、トランスポートストリームから抽出する分離処理部と、
前記第１のＴＳパケットが格納される第１の記憶領域と、前記第２のＴＳパケットが格納される第２の記憶領域と、前記第３のＴＳパケットが格納される第３の記憶領域とを有するメモリと、
前記第１の記憶領域から読み出された前記第１のＴＳパケットに基づいて前記映像データを生成する映像デコード処理を行う映像デコーダと、
前記第２の記憶領域から読み出された前記第２のＴＳパケットに基づいて前記音声データを生成する音声デコード処理を行う音声デコーダとを含み、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行う情報再生装置に関係する。
【００１１】
また本発明に係る情報再生装置では、
前記メモリが、
前記第１のＴＳパケットを用いて生成される第１のＰＥＳ（Packetized Elementary Stream）パケットからＰＥＳヘッダを削除した映像用ＥＳ（Elementary Stream）データが格納される第４の記憶領域を有し、
前記映像デコーダが、
前記第１のＴＳパケットから前記第１のＰＥＳパケットを生成し、該第１のＰＥＳパケットから前記ＰＥＳヘッダを削除する処理を行った後、前記映像用ＥＳデータを前記第４の記憶領域に格納し、その後、該第４の記憶領域から読み出した映像用ＥＳデータに基づいて前記映像デコード処理を行うことができる。
【００１２】
例えば１セグメント放送のビットレートを考慮すると、その帯域のほとんどが映像データや音声データの帯域となり、データ放送自体の帯域が狭くなると考えられる。従って、上記のいずれかの発明によれば、処理能力が高く消費電力の大きいＣＰＵを搭載することなく、それぞれ独立にデコード処理を行わせる映像デコーダ及び音声デコーダを設け、それぞれの処理能力として低いものを採用できる。従って、映像デコーダ及び音声データの一方の動作を適宜停止させて柔軟に低消費電力化を図ることができるようになり、処理負荷の重い１セグメント放送の再生処理を行う情報再生装置の低消費電力化を実現できる。
【００１３】
更には、映像デコーダ及び音声デコーダを並列動作させることができるため、各デコーダの処理能力を低くて済み、より低消費電力化及び低コスト化を実現できる。
【００１４】
また本発明に係る情報再生装置では、
前記映像デコード処理及び前記音声デコード処理の少なくとも１つの処理開始を指示するホストによって、Ｈ．２６４／ＡＶＣ（Advanced Video Coding）データとＭＰＥＧ−２ＡＡＣ（Advanced Audio Coding）データとが多重化されたＭＰ４（Moving Picture Experts Group phase 4）データ、３ＧＰ（3rd Generation Partnership Project）データ又は３Ｇ２（3rd Generation Partnership Project 2）データから生成される映像用ＥＳデータが、前記第４の記憶領域に格納され、
前記映像デコーダが、
前記第４の記憶領域から読み出した映像用ＥＳデータに基づいて前記映像デコード処理を行うことができる。
【００１５】
本発明によれば、低消費電力で、ＭＰ４データ、３ＧＰデータ又は３Ｇ２データの再生が可能な情報再生装置を提供できるようになる。
【００１６】
また本発明に係る情報再生装置では、
前記メモリが、
前記第２のＴＳパケットを用いて生成される第２のＰＥＳ（Packetized Elementary Stream）パケットからＰＥＳヘッダを削除した音声用ＥＳ（Elementary Stream）データが格納される第５の記憶領域を有し、
前記音声デコーダが、
前記第２のＴＳパケットから前記第２のＰＥＳパケットを生成し、該第２のＰＥＳパケットからＰＥＳヘッダを削除する処理を行った後、前記音声用ＥＳデータを前記第５の記憶領域に格納し、その後、該第５の記憶領域から読み出した音声用ＥＳデータに基づいて前記音声デコード処理を行うことができる。
【００１７】
また本発明に係る情報再生装置では、
Ｈ．２６４／ＡＶＣ（Advanced Video Coding）データとＭＰＥＧ−２ＡＡＣ（Advanced Audio Coding）データとが多重化されたＭＰ４（Moving Picture Experts Group phase 4）データ、３ＧＰ（3rd Generation Partnership Project）データ又は３Ｇ２（3rd Generation Partnership Project 2）データから生成され、前記映像デコード処理及び前記音声デコード処理の少なくとも１つの処理開始を指示するホストからの音声用ＥＳデータが、前記第５の記憶領域に格納され、
前記音声デコーダが、
前記第５の記憶領域から読み出した音声用ＥＳデータに基づいて前記音声デコード処理を行うことができる。
【００１８】
本発明によれば、低消費電力で、ＭＰ４データ、３ＧＰデータ又は３Ｇ２データの再生が可能な情報再生装置を提供できるようになる。
【００１９】
また本発明に係る情報再生装置では、
前記メモリが、
前記第２のＴＳパケットを用いて生成される第２のＰＥＳ（Packetized Elementary Stream）パケットからＰＥＳヘッダを削除した音声用ＥＳ（Elementary Stream）データが格納される第５の記憶領域を有し、
ＭＰＥＧ−２ＡＡＣ（Advanced Audio Coding）データから生成され、前記映像デコード処理及び前記音声デコード処理の少なくとも１つの処理開始を指示するホストからの音声用ＥＳデータが、前記第５の記憶領域に格納され、
前記音声デコーダが、
前記第５の記憶領域から読み出した音声用ＥＳデータに基づいて前記音声デコード処理を行うことができる。
【００２０】
本発明によれば、低消費電力で、ＡＡＣデータの再生が可能な情報再生装置を提供できるようになる。
【００２１】
また本発明に係る情報再生装置では、
前記メモリが、
前記映像デコード処理及び前記音声デコード処理の少なくとも１つの処理開始を指示するホストによって、前記第１〜第３のＴＳパケットが多重化されたトランスストリームが格納される第６の記憶領域を有し、
前記分離処理部が、
前記第６の記憶領域から読み出されたトランスポートストリームから、前記第１〜第３のＴＳパケットの各ＴＳパケットを抽出し、
前記映像デコーダが、前記第１の記憶領域から前記第１のＴＳパケットを、前記音声デコーダとは独立して読み出し、該第１のＴＳパケットに基づいて前記映像デコード処理を行うと共に、
前記音声デコーダが、前記第２の記憶領域から前記第２のＴＳパケットを、前記映像デコーダとは独立して読み出し、該第２のＴＳパケットに基づいて前記音声デコード処理を行うことができる。
【００２２】
本発明によれば、チューナではなくホストからのトランスポートストリームについても低消費電力で再生できる情報再生装置を提供できる。
【００２３】
また本発明に係る情報再生装置では、
前記映像デコーダ及び前記音声デコーダの少なくとも１つが中央演算処理装置を含み、
前記情報再生装置の初期化処理後に、前記情報再生装置の外部から、前記中央演算処理装置が前記映像デコード処理及び前記音声デコード処理の少なくとも１つを実現するためのプログラムが読み込まれ、
前記中央演算処理装置が、
前記プログラムに従って前記映像デコード処理及び前記音声デコード処理の少なくとも１つの処理を実現することができる。
【００２４】
本発明によれば、情報再生装置の構成を変更することなく、映像デコーダ及び音声デコーダの少なくとも１つの処理内容を容易に変更できる情報再生装置を提供できる。
【００２５】
また本発明に係る情報再生装置では、
前記映像データ及び音声データのうち前記映像データのみを再生するときは、前記音声デコーダの動作を停止させ、
前記映像データ及び音声データのうち前記音声データのみを再生するときは、前記映像デコーダの動作を停止させることができる。
【００２６】
本発明によれば、より一層低消費電力で、映像データ又は音声データを再生できる情報再生装置を提供できる。
【００２７】
また本発明は、
上記のいずれか記載の情報再生装置と、
前記情報再生装置に対し、前記映像デコード処理及び前記音声デコード処理の少なくとも１つの処理開始を指示するホストとを含む電子機器に関係する。
【００２８】
また本発明は、
チューナと、
前記チューナからのトランスポートストリームが供給される上記のいずれか記載の情報再生装置と、
前記情報再生装置に対し、前記映像デコード処理及び前記音声デコード処理の少なくとも１つの処理開始を指示するホストとを含む電子機器に関係する。
【００２９】
上記のいずれかの発明によれば、処理負荷の重い１セグメント放送の再生処理を低消費電力で実現できる電子機器を提供できる。
【発明を実施するための最良の形態】
【００３０】
以下、本発明の実施の形態について図面を用いて詳細に説明する。なお、以下に説明する実施の形態は、特許請求の範囲に記載された本発明の内容を不当に限定するものではない。また以下で説明される構成のすべてが本発明の必須構成要件であるとは限らない。
【００３１】
１．  １セグメント放送の概要
地上アナログ放送に替わって登場する地上デジタル放送では、画像及び音声の高品質化に加えて種々の新サービスの提供に期待が寄せられている。
【００３２】
図１に、地上デジタル放送のセグメントの概念の説明図を示す。
【００３３】
地上デジタル放送では、予め割り当てられた周波数帯域を１４個のセグメントに分割し、そのうちの１３個のセグメントＳＥＧ１〜ＳＥＧ１３を使って放送が行われる。残り１個のセグメントは、ガードバンドとして用いられる。そして、放送を行うための１３個のセグメントのうちの１個のセグメントＳＥＧｍが、携帯端末向けの放送の周波数帯域に割り当てられる。
【００３４】
１セグメント放送では、それぞれが符号化（圧縮処理）された映像データ、音声データ、その他のデータ（制御データ）が多重化されたトランスポートストリーム（Transport Stream：ＴＳ）が伝送される。より具体的には、ＴＳの各パケットにリードソロモン符号の誤り訂正用符号が付加された後、階層分割され、各階層において畳み込み符号化やキャリア変調が施される。そして、階層合成後に、周波数インターリーブ、時間インターリーブが行われ、受信側に必要なパイロット信号を付加してＯＦＤＭセグメントフレームが形成される。このＯＦＤＭセグメントフレームに対し、逆フーリエ変換演算が施されてＯＦＤＭ信号として伝送される。
【００３５】
図２に、ＴＳの説明図を示す。
【００３６】
ＴＳは、図２に示すように複数のＴＳパケット列で構成されている。各ＴＳパケットの長さは、１８８バイトに固定されている。各ＴＳパケットは、４バイトのＴＳヘッダ（TS Header：ＴＳＨ）と呼ばれるヘッダ情報が付加されており、ＴＳパケットの識別子となるＰＩＤ（Packet Identifier）を含む。１セグメント放送の番組は、ＰＩＤにより特定される。
【００３７】
ＴＳパケットは、アダプテーションフィールドを含み、映像データ、音声データ等の同期再生の基準となる時刻情報であるＰＣＲ（Program Clock Reference）やダミーデータが埋め込まれる。ペイロードは、ＰＥＳ（Packetized Elementary Stream）パケットやセクションを生成するためのデータを含む。
【００３８】
図３に、ＰＥＳパケット及びセクションの説明図を示す。
【００３９】
ＰＥＳパケット及びセクションのそれぞれは、１又は複数のＴＳパケットの各ＴＳパケットのペイロードにより構成される。ＰＥＳパケットは、ＰＥＳヘッダとペイロードとを含み、該ペイロードには、映像データ、音声データ又は字幕データがＥＳ（Elementary Stream）データとして設定される。セクションには、ＰＥＳパケットに設定される映像データ等の番組情報等が設定される。
【００４０】
従って、ＴＳを受信すると、まずセクションに含まれる番組情報を解析し、放送される番組に対応するＰＩＤを特定する必要がある。そして、該ＰＩＤに対応する映像データ、音声データをＴＳから抽出し、抽出後の映像データ、音声データを再生することになる。
【００４１】
２．  携帯端末
１セグメント放送の受信機能を有する携帯端末では、上記のようなパケットの解析等の処理が必要となる。即ち、このような携帯端末では、高い処理能力が要求される。そのため、携帯端末（広義には電子機器）としての従来の携帯電話機に、１セグメント放送の受信機能を付加する場合には、高い処理能力を有するプロセッサ等を更に追加する必要がある。
【００４２】
図４に、本実施形態の比較例におけるマルチメディア処理ＣＰＵを含む携帯電話機の構成例のブロック図を示す。
【００４３】
この携帯電話機９００では、アンテナ９１０を介して受信された受信信号を復調して電話用ＣＰＵ９２０が着呼処理を行い、電話用ＣＰＵ９２０が発呼処理を行った信号が変調されてアンテナ９１０を介して送信される。電話用ＣＰＵ９２０は、メモリ９２２に格納されたプログラムを読み込んで着呼処理及び発呼処理を行うことができる。
【００４４】
またアンテナ９３０を介して受信された受信信号から、チューナ９４０を介して希望信号が取り出されると、該希望信号をＯＦＤＭ信号として上記と逆の手順でＴＳが生成される。マルチメディア処理ＣＰＵ９５０は、生成されたＴＳからＴＳパケットを解析してＰＥＳパケット及びセクションを判別し、所望の番組のＴＳパケットから映像データ、音声データのデコード処理を行う。マルチメディア処理ＣＰＵ９５０は、メモリ９５２に格納されたプログラムを読み込んで上記のパケットの解析処理やデコード処理を行うことができる。表示パネル９６０は、デコード処理後の映像データに基づいて表示出力を行い、スピーカ９７０は、デコード処理後の音声データに基づいて音声出力を行う。
【００４５】
このようにマルチメディア処理ＣＰＵ９５０として、非常に高い処理能力が必要となる。高い処理能力を有するプロセッサは、一般的に、動作周波数が高くなったり、回路規模が大きくなってしまう。
【００４６】
ところで、１セグメント放送のビットレートを考慮すると、その帯域のほとんどが映像データや音声データの帯域となり、データ放送自体の帯域が狭くなると考えられる。従って、マルチメディア処理ＣＰＵで実現できる処理のうち、映像データや音声データの再生処理のみで済む場合もあるにもかかわらず、マルチメディア処理ＣＰＵを常に動作させる必要があり、消費電力の増大を招く。
【００４７】
そこで、本実施形態では、映像データのデコード処理を行う映像デコーダと音声データのデコード処理を行う音声デコーダとを独立して設け、それぞれ独立にデコード処理を行わせることで、それぞれの処理能力として低いものを採用できる。更に、映像デコーダ及び音声データの一方の動作を適宜停止させて柔軟に低消費電力化を図ることができる。
【００４８】
更には、映像デコーダ及び音声デコーダを並列動作させることができるため、各デコーダの処理能力を低くて済み、より低消費電力化及び低コスト化を実現できる。
【００４９】
図５に、本実施形態における情報再生装置を含む携帯電話機の構成例のブロック図を示す。なお図５において、図４と同一部分には同一符号を付し、適宜説明を省略する。
【００５０】
携帯電話機１００は、ホストＣＰＵ（広義にはホスト）１１０、ＲＡＭ（Random Access Memory）１２０、ＲＯＭ（Read Only Memory）１３０、表示ドライバ１４０、ＤＡＣ（Digital-to-Analog Converter）１５０、画像処理ＩＣ（Integrated Circuit)（広義には情報再生装置）２００を含むことができる。更に携帯電話機１００は、アンテナ９１０、９３０、チューナ９４０、表示パネル９６０、スピーカ９７０を含む。
【００５１】
ホストＣＰＵ１１０は、図４の電話用ＣＰＵ９２０の機能を有すると共に、画像処理ＩＣ２００を制御する機能を有する。ホストＣＰＵ１１０は、ＲＡＭ１２０又はＲＯＭ１３０に格納されたプログラムを読み出し、図４の電話用ＣＰＵ９２０の処理、画像処理ＩＣ２００を制御する処理を行う。この際、ホストＣＰＵ１１０は、ＲＡＭ１２０をワークエリアとして用いることができる。
【００５２】
画像処理ＩＣ２００は、チューナ９４０からのＴＳから、映像データを生成するための映像用ＴＳパケット（第１のＴＳパケット）、音声データを生成するための音声用ＴＳパケット（第２のＴＳパケット）を抽出し、図示しない共有メモリにバッファリングする。そして画像処理ＩＣ２００は、互いに独立して動作停止制御が可能な映像デコーダ及び音声デコーダ（図示せず）を含み、映像デコーダ及び音声デコーダが、それぞれ映像用ＴＳパケット及び音声用ＴＳパケットをデコードして映像データ及び音声データを生成する。映像データ及び音声データは、同期しながら、それぞれ表示ドライバ１４０及びＤＡＣ１５０に供給される。ホストＣＰＵ１１０は、このような画像処理ＩＣ２００に対し、映像デコード処理及び音声デコード処理の処理開始を指示することができる。なおホストＣＰＵ１１０は、画像処理ＩＣ２００に対し、映像デコード処理及び音声デコード処理の少なくとも１つの処理開始を指示するようにしてもよい。
【００５３】
表示ドライバ（広義には駆動回路）１４０は、映像データに基づいて表示パネル（広義には電気光学装置）９６０を駆動する。より具体的には、表示パネル９６０は、複数の走査線、複数のデータ線、各画素が各走査線及び各データ線により特定される複数の画素を有し、表示パネル９６０として液晶表示（Liquid Crystal Display）パネルを採用できる。表示ドライバ１４０は、複数の走査線を走査する走査ドライバの機能と、該映像データに基づいて複数のデータ線を駆動するデータドライバの機能とを有する。
【００５４】
ＤＡＣ１５０は、デジタル信号である音声データをアナログ信号に変換し、スピーカ９７０に供給する。スピーカ９７０は、ＤＡＣ１５０からのアナログ信号に対応した音声出力を行う。
【００５５】
３．  情報再生装置
図６に、本実施形態の情報再生装置としての図５の画像処理ＩＣ２００の構成例のブロック図を示す。
【００５６】
画像処理ＩＣ２００は、ＴＳ分離部（分離処理部）２１０と、メモリ（共有メモリ）２２０と、映像デコーダ２３０と、音声デコーダ２４０とを含む。また画像処理ＩＣ２００は、更に、表示制御部２５０と、チューナＩ／Ｆ（Interface）２６０と、ホストＩ／Ｆ２７０と、ドライバＩ／Ｆ２８０と、オーディオＩ／Ｆ２９０とを含む。
【００５７】
ＴＳ分離部２１０は、映像データを生成するための映像用ＴＳパケット（第１のＴＳパケット）、音声データを生成するための音声用ＴＳパケット（第２のＴＳパケット）、映像用ＴＳパケット及び音声用ＴＳパケット以外のパケット（第３のＴＳパケット）を、ＴＳから抽出する。ＴＳ分離部２１０は、ＴＳから一旦抽出された第３のＴＳパケットを解析するホストＣＰＵ１１０の解析結果に基づいて、第１及び第２のＴＳパケットを抽出することができる。
【００５８】
メモリ２２０は、各記憶領域の先頭アドレス及び終了アドレスが予め決められた複数の記憶領域を有する。そして、ＴＳ分離部２１０により分離された映像用ＴＳパケット、音声用ＴＳパケット、それ以外のＴＳパケットのそれぞれが、各ＴＳパケット専用に設けられた記憶領域に格納される。
【００５９】
映像デコーダ２３０は、メモリ２２０の記憶領域のうち映像用ＴＳパケット専用に設けられた記憶領域から映像用ＴＳパケットを読み出し、該映像用ＴＳパケットに基づいて映像データを生成する映像デコード処理を行う。
【００６０】
音声デコーダ２４０は、メモリ２２０の記憶領域のうち音声用ＴＳパケット専用に設けられた記憶領域から音声用ＴＳパケットを読み出し、該音声用ＴＳパケットに基づいて音声データを生成する音声デコード処理を行う。
【００６１】
表示制御部２５０は、メモリ２２０から読み出された映像データにより表される画像の向きを回転させる回転処理や該画像のサイズを縮小又は拡大させるリサイズ処理を行う。回転処理後のデータやリサイズ処理後のデータは、ドライバＩ／Ｆ２８０に供給される。
【００６２】
チューナＩ／Ｆ２６０は、チューナ９４０とのインタフェース処理を行う。より具体的には、チューナＩ／Ｆ２６０は、チューナ９４０からのＴＳを受信する制御を行う。チューナＩ／Ｆ２６０は、ＴＳ分離部２１０に接続される。
【００６３】
ホストＩ／Ｆ２７０は、ホストＣＰＵ１１０とのインタフェース処理を行う。より具体的には、ホストＩ／Ｆ２７０は、ホストＣＰＵ１１０との間のデータの送受信の制御を行う。ホストＩ／Ｆ２７０は、ＴＳ分離部２１０、メモリ２２０、表示制御部２５０、オーディオＩ／Ｆ２９０に接続される。
【００６４】
ドライバＩ／Ｆ２８０は、表示制御部２５０を介してメモリ２２０から所定の周期で映像データを読み出し、該映像データを表示ドライバ１４０に対して供給する。ドライバＩ／Ｆ２８０は、表示ドライバ１４０に対して映像データを送信するためのインタフェース処理を行う。
【００６５】
オーディオＩ／Ｆ２９０は、メモリ２２０から所定の周期で音声データを読み出し、該音声データをＤＡＣ１５０に対して供給する。オーディオＩ／Ｆ２９０は、ＤＡＣ１５０に対して音声データを送信するためのインタフェース処理を行う。
【００６６】
このような画像処理ＩＣ２００では、ＴＳ分離部２１０により、チューナ９４０からのＴＳからＴＳパケットが抽出される。ＴＳパケットは、共有メモリとしてのメモリ２２０の予め割り当てられた記憶領域に格納される。そして、映像デコーダ２３０及び音声デコーダ２４０が、それぞれメモリ２２０に割り当てられた専用の記憶領域からＴＳパケットを読み出して、映像データ及び音声データを生成し、互いに同期した映像データ及び音声データを表示ドライバ１４０及びＤＡＣ１５０に対して供給することができる。
【００６７】
図７に、図６の画像処理ＩＣ２００の動作説明図を示す。
【００６８】
図７において、図６と同一部分には同一符号を付し、適宜説明を省略する。
【００６９】
メモリ２２０は、第１〜第８の記憶領域ＡＲ１〜ＡＲ８を有し、各記憶領域が予め割り当てられている。
【００７０】
第１の記憶領域ＡＲ１には、映像用ＴＳパケット専用の記憶領域として、ＴＳ分離部２１０によって抽出された映像用ＴＳパケット（第１のＴＳパケット）が格納される。第２の記憶領域ＡＲ２には、音声用ＴＳパケット専用の記憶領域として、ＴＳ分離部２１０によって抽出された音声用ＴＳパケット（第２のＴＳパケット）が格納される。第３の記憶領域ＡＲ３には、ＴＳ分離部２１０によって抽出されたＴＳパケットのうち映像用ＴＳパケット及び音声用ＴＳパケットを除くＴＳパケット（第３のＴＳパケット）が格納される。
【００７１】
第４の記憶領域ＡＲ４には、映像用ＥＳデータ専用の記憶領域として、映像デコーダ２３０によって生成された映像用ＥＳデータが格納される。第５の記憶領域ＡＲ５には、音声用ＥＳデータ専用の記憶領域として、音声デコーダ２４０によって生成された音声用ＥＳデータが格納される。
【００７２】
第６の記憶領域ＡＲ６には、ホストＣＰＵ１１０によって生成されるＴＳが、ＴＳＲＡＷデータとして格納される。ＴＳＲＡＷデータは、チューナ９４０からのＴＳに替わってホストＣＰＵ１１０により設定される。そして、ＴＳ分離部２１０は、ＴＳＲＡＷデータとして設定されたＴＳから、映像用ＴＳパケット、音声用ＴＳパケット、その他のＴＳパケットが抽出されるようになっている。
【００７３】
第７の記憶領域ＡＲ７には、映像デコーダ２３０によるデコード処理後の映像データが格納される。第７の記憶領域ＡＲ７に格納された映像データは、表示制御部２５０によって読み出され、表示パネル９６０による映像出力に供される。第８の記憶領域ＡＲ８には、音声デコーダ２４０によるデコード処理後の音声データが格納される。第８の記憶領域ＡＲ８に格納された音声データは、スピーカ９７０による音声出力に供される。
【００７４】
映像デコーダ２３０は、ヘッダ削除処理部２３２と、映像デコード処理部２３４とを含む。ヘッダ削除処理部２３２は、第１の記憶領域ＡＲ１から映像用ＴＳパケットを読み出し、該映像用ＴＳパケットのＴＳヘッダを解析してＰＥＳパケット（第１のＰＥＳパケット）を生成した後、そのＰＥＳヘッダを削除する処理を行ってそのペイロード部を映像用ＥＳデータとしてメモリ２２０の第４の記憶領域ＡＲ４に格納する。映像デコード処理部２３４は、第４の記憶領域ＡＲ４から映像用ＥＳデータを読み出し、Ｈ．２６４／ＡＶＣ（Advanced Video Coding）の規格に従ったデコード処理（広義には映像デコード処理）を行って生成される映像データを第７の記憶領域ＡＲ７に書き込む。
【００７５】
音声デコーダ２４０は、ヘッダ削除処理部２４２と、音声デコード処理部２４４とを含む。ヘッダ削除処理部２４２は、第２の記憶領域ＡＲ２から音声用ＴＳパケットを読み出し、該音声用ＴＳパケットのＴＳヘッダを解析してＰＥＳパケット（第２のＰＥＳパケット）を生成した後、そのＰＥＳヘッダを削除する処理を行ってそのペイロード部を音声用ＥＳデータとしてメモリ２２０の第５の記憶領域ＡＲ５に格納する。音声デコード処理部２４４は、第５の記憶領域ＡＲ５から音声用ＥＳデータを読み出し、ＭＰＥＧ−２ＡＡＣ（Advanced Audio Coding）の規格に従ったデコード処理（広義には音声デコード処理）を行って生成される音声データを第８の記憶領域ＡＲ８に書き込む。
【００７６】
そして、映像デコーダ２３０が、第１の記憶領域ＡＲ１から映像用ＴＳパケット（第１のＴＳパケット）を、音声デコーダ２４０とは独立して読み出し、該映像用ＴＳパケットに基づいて上記の映像デコード処理を行う。また音声デコーダ２４０が、第２の記憶領域ＡＲ２から音声用ＴＳパケット（第２のＴＳパケット）を、映像デコーダ２３０とは独立して読み出し、該音声用ＴＳパケットに基づいて上記の音声デコード処理を行う。こうすることで、映像と音声とを同期させて出力させる場合には映像デコーダ２３０及び音声デコーダ２４０を動作させることができる一方、映像のみを出力させる場合には映像デコーダ２３０のみを動作させて音声デコーダ２４０の動作を停止させることができる。また音声のみを出力させる場合には音声デコーダ２４０のみを動作させて映像デコーダ２３０の動作を停止させることができる。
【００７７】
ホストＣＰＵ１１０は、第３の記憶領域ＡＲ３に格納されたその他のＴＳパケット（第３のＴＳパケット）を読み出し、該ＴＳパケットからセクションを生成する。そして該セクションに含まれる各種テーブル情報を解析する。ホストＣＰＵ１１０は、その解析結果をメモリ２２０の所定の記憶領域に設定すると共にＴＳ分離部２１０に対し制御情報として指定する。それ以降、ＴＳ分離部２１０は、チューナ９４０からのＴＳを該制御情報に従ってＴＳパケットを抽出する。一方、ホストＣＰＵ１１０は、映像デコーダ２３０及び音声デコーダ２４０に対して、それぞれ別個に起動コマンドを発行することができる。映像デコーダ２３０及び音声デコーダ２４０は、それぞれ独立してメモリ２２０にアクセスしてホストＣＰＵ１１０の解析結果を読み出し、該解析結果に対応したデコード処理を行う。
【００７８】
３．１  再生動作
次に、本実施形態における情報再生装置としての画像処理ＩＣ２００において、ＴＳに多重化された映像データ又は音声データを再生する場合の動作について説明する。
【００７９】
図８に、ホストＣＰＵ１１０による再生処理の動作例のフロー図を示す。ホストＣＰＵ１１０は、ＲＡＭ１２０又はＲＯＭ１３０に格納されたプログラムを読み出し、該プログラムに対応した処理を実行することで図８に示す処理を行うことができるようになっている。
【００８０】
まずホストＣＰＵ１１０は、放送受信開始処理を行う（ステップＳ１０）。これによって、ＴＳとして受信された複数の番組のうち所望の番組の映像データ又は音声データをＴＳから抽出することができる。そして、ホストＣＰＵ１１０は、画像処理ＩＣ２００の映像デコーダ２３０及び音声デコーダ２４０の少なくとも１つを起動させる。
【００８１】
その後、ホストＣＰＵ１１０は、映像及び音声の再生を行う場合には映像デコーダ２３０及び音声デコーダ２４０によりデコード処理を行わせる。或いはホストＣＰＵ１１０は、映像のみの再生を行う場合には音声デコーダ２４０の動作を停止させて映像デコーダ２３０によりデコード処理を行わせる。或いはまた、ホストＣＰＵ１１０は、音声のみの再生を行う場合には映像デコーダ２３０の動作を停止させて音声デコーダ２４０によりデコード処理を行わせる（ステップＳ１１）。
【００８２】
次に、ホストＣＰＵ１１０は、放送受信終了処理を行い（ステップＳ１２）、一連の処理を終了する（エンド）。これによって、ホストＣＰＵ１１０は、画像処理ＩＣ２００の各部の動作を停止させる。
【００８３】
３．１．１  放送受信開始処理
続いて、図８に示す放送受信開始処理の処理例について説明する。ここでは、映像及び音声の再生を行う場合について説明する。
【００８４】
図９に、図８の放送受信開始処理の動作例のフロー図を示す。ホストＣＰＵ１１０は、ＲＡＭ１２０又はＲＯＭ１３０に格納されたプログラムを読み出し、該プログラムに対応した処理を実行することで図９に示す処理を行うことができるようになっている。
【００８５】
まずホストＣＰＵ１１０は、画像処理ＩＣ２００の映像デコーダ２３０、音声デコーダ２４０を起動する（ステップＳ２０）。その後、ホストＣＰＵ１１０は、チューナ９４０を初期化すると共に所与の動作情報を設定する（ステップＳ２１）。そしてホストＣＰＵ１１０は、ＤＡＣ１５０に対しても初期化を行って所与の動作情報を設定する（ステップＳ２２）。
【００８６】
その後ホストＣＰＵ１１０は、ＴＳの受信を監視する（ステップＳ２３：Ｎ）。ＴＳの受信が開始されると、画像処理ＩＣ２００では、ＴＳ分離部２１０が、上述のようにＴＳから映像用ＴＳパケット、音声用ＴＳパケット及びそれ以外のＴＳパケットに分離し、分離されたＴＳパケットは、専用に設けられたメモリ２２０の記憶領域に格納される。例えば画像処理ＩＣ２００のメモリ２２０における第３の記憶領域ＡＲ３にＴＳパケットが格納されたことを条件に発生する割り込み信号により、ホストＣＰＵ１１０はＴＳの受信を検出できる。或いはホストＣＰＵ１１０が、周期的にメモリ２２０の第３の記憶領域ＡＲ３をアクセスすることで、ＴＳパケットの書き込みが行われた否かを判断して、ＴＳの受信を判別できる。
【００８７】
このようにしてＴＳの受信が検出されたとき（ステップＳ２３：Ｙ）、ホストＣＰＵ１１０は、第３の記憶領域ＡＲ３に記憶されたＴＳパケットを読み出してセクションを生成する。そして、セクションに含まれるＰＳＩ（Program Specific Information：番組特定情報）／ＳＩ（Service Information：番組配列情報）を解析する（ステップＳ２４）。このＰＳＩ／ＳＩは、ＭＰＥＧ−２システム（ISO/IEC 13818-1）にて規定されている。
【００８８】
ＰＳＩ／ＳＩは、ＮＩＴ（Network Information Table：ネットワーク情報テーブル）やＰＭＴ（Program Map Table：番組対応テーブル）を含む。ＮＩＴは、例えばどの放送局からのＴＳかを特定するためのネットワーク識別子、ＰＭＴを特定するためのサービス識別子、放送の種類を示すサービスタイプ識別子等を含む。ＰＭＴには、例えばＴＳにおいて多重化される映像用ＴＳパケットのＰＩＤと音声用ＴＳパケットのＰＩＤが設定される。
【００８９】
従って、ホストＣＰＵ１１０は、ＰＳＩ／ＳＩからＰＭＴを特定するためのサービス識別子を抽出し、該サービス識別子に基づき、受信したＴＳの映像用ＴＳパケット及び音声用ＴＳパケットのＰＩＤを特定できる（ステップＳ２５）。そして、携帯端末のユーザに選択させた番組に対応するＰＩＤ、若しくは予め決められた番組に対応するＰＩＤを、ホストＣＰＵ１１０が、映像デコーダ２３０及び音声デコーダ２４０に参照できるようにメモリ２２０の所定の記憶領域（例えば第３の記憶領域ＡＲ３）に設定し（ステップＳ２６）、一連の処理を終了する（エンド）。
【００９０】
こうすることで、映像デコーダ２３０及び音声デコーダ２４０は、メモリ２２０に設定されたＰＩＤを参照しながら、映像用ＴＳパケット及び音声用ＴＳパケットに対してデコード処理を行うことができる。
【００９１】
なおホストＣＰＵ１１０は、例えばＰＭＴを特定するためのサービス識別子に対応する情報を、画像処理ＩＣ２００のＴＳ分離部２１０に設定する。こうすることで、ＴＳ分離部２１０は、所定の時間間隔を置いて周期的に受信されるセクションを判別し、上記のサービス識別子に対応したＰＭＴを解析し、該ＰＭＴにより特定される映像用ＴＳパケット及び音声用ＴＳパケットとそれ以外のＴＳパケットを抽出してメモリ２２０に格納していく。
【００９２】
図１０に、図６及び図７の画像処理ＩＣ２００の放送受信開始処理における動作説明図を示す。図１０において、図６又は図７と同一部分には同一符号を付し、適宜説明を省略する。
【００９３】
なお図１０において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【００９４】
まずチューナ９４０からＴＳが入力される（ＳＱ１）とＴＳ分離部２１０は、ＰＳＩ／ＳＩが含まれるＴＳパケットをメモリ２２０に格納する（ＳＱ２）。このとき、ＴＳ分離部２１０は、該ＴＳパケットのＰＳＩ／ＳＩ自体を抽出してメモリ２２０に格納することができる。更にＴＳ分離部２１０は、ＰＳＩ／ＳＩからＮＩＴを抽出してメモリ２２０に格納することができる。
【００９５】
ホストＣＰＵ１１０は、ＰＳＩ／ＳＩ、ＮＩＴ、ＰＭＴを読み出して（ＳＱ３）、これらを解析し、デコード処理対象の番組に対応するＰＩＤを特定する。そしてホストＣＰＵ１１０は、サービス識別子に対応する情報又はデコード処理対象の番組に対応するＰＩＤを、ＴＳ分離部２１０に設定する（ＳＱ４）。なおホストＣＰＵ１１０は、ＰＩＤを、メモリ２２０の所定の記憶領域にも設定し、映像デコーダ２３０及び音声デコーダ２４０のデコード処理の際に参照させる。
【００９６】
ＴＳ分離部２１０は、設定されたＰＩＤに基づいてＴＳから映像用ＴＳパケット及び音声用ＴＳパケットを抽出し、それぞれ第１及び第２の記憶領域ＡＲ１、ＡＲ２に書き込む（ＳＱ５）。
【００９７】
その後、ホストＣＰＵ１１０によって起動された映像デコーダ２３０及び音声デコーダ２４０は、第１及び第２の記憶領域ＡＲ１、ＡＲ２から映像用ＴＳパケット及び音声用ＴＳパケットを順次読み出して（ＳＱ６）、映像デコード処理及び音声デコード処理を行う。
【００９８】
３．１．２  放送受信終了処理
次に、図８に示す放送受信終了処理の動作例について説明する。ここでは、映像及び音声の再生を行う場合について説明する。
【００９９】
図１１に、図８の放送受信終了処理の処理例のフロー図を示す。ホストＣＰＵ１１０は、ＲＡＭ１２０又はＲＯＭ１３０に格納されたプログラムを読み出し、該プログラムに対応した処理を実行することで図１１に示す処理を行うことができるようになっている。
【０１００】
まずホストＣＰＵ１１０は、画像処理ＩＣ２００の映像デコーダ２３０、音声デコーダ２４０を停止させる（ステップＳ３０）。これは、例えばホストＣＰＵ１１０から画像処理ＩＣ２００に対し制御コマンドを発行し、画像処理ＩＣ２００が該制御コマンドのデコード結果を用いて映像デコーダ２３０、音声デコーダ２４０を停止させることができる。
【０１０１】
その後、ホストＣＰＵ１１０は、同様にＴＳ分離部２１０を停止させる（ステップＳ３１）。そして、ホストＣＰＵ１１０は、チューナ９４０を停止させる（ステップＳ３２）。
【０１０２】
図１２に、図６及び図７の画像処理ＩＣ２００の放送受信終了処理における動作説明図を示す。図１２において、図１０と同一部分には同一符号を付し、適宜説明を省略する。
【０１０３】
まずホストＣＰＵ１１０が、表示制御部２５０の動作を停止させる制御を行い、表示ドライバ１４０への映像データの供給を停止させる（ＳＱ１０）。次に、ホストＣＰＵ１１０が、映像デコーダ２３０及び音声デコーダ２４０の動作を停止させ（ＳＱ１１）、その後ＴＳ分離部２１０、チューナ９４０の順に動作を停止させていく（ＳＱ１２、ＳＱ１３）。
【０１０４】
３．１．３  再生処理
次に、映像データの再生処理を行う映像デコーダ２３０の動作例について説明する。
【０１０５】
図１３に、映像デコーダ２３０の動作例のフロー図を示す。
【０１０６】
映像デコーダ２３０は、ホストＣＰＵ１１０によって起動されると、例えばメモリ２２０の所定の記憶領域に格納されたプログラムを読み出し、該プログラムに対応した処理を実行することで図１３に示す処理を行うことができるようになっている。即ち、映像デコーダ２３０はＣＰＵ（中央演算処理装置）を含み、画像処理ＩＣ２００（情報再生装置）の初期化処理後に、画像処理ＩＣ２００の外部から、ＣＰＵに映像デコード処理を実現するためのプログラムが読み込まれ、該ＣＰＵが映像デコード処理を実現することができる。なお、映像デコーダ２３０の処理の少なくとも一部が、組み合わせ回路や論理回路等のハードウェアによって行われてもよい。
【０１０７】
なお、映像デコーダ２３０及び音声デコーダ２４０のうち少なくとも１つが、ＣＰＵを含み、画像処理ＩＣ２００の初期化処理後に、画像処理ＩＣ２００の外部から、ＣＰＵに各デコード処理を実現するためのプログラムが読み込まれるようにしてもよい。
【０１０８】
まず、映像デコーダ２３０は、映像用ＴＳバッファとして設けられた第１の記憶領域ＡＲ１がエンプティ状態か否かを判別する（ステップＳ３０）。第１の記憶領域ＡＲ１から読み出されるべき映像用ＴＳパケットがない場合、エンプティ状態となる。
【０１０９】
ステップＳ３０において映像用ＴＳバッファである第１の記憶領域ＡＲ１がエンプティ状態でないと判別されたとき（ステップＳ３０：Ｎ）、映像デコーダ２３０は、更に映像用ＥＳバッファとして設けられた第４の記憶領域ＡＲ４がフル状態か否かを判別する（ステップＳ３１）。これ以上映像用ＥＳデータを第４の記憶領域ＡＲ４に格納できない場合、フル状態となる。
【０１１０】
ステップＳ３１において映像用ＥＳバッファである第４の記憶領域ＡＲ４がフル状態でないと判別されたとき（ステップＳ３１：Ｎ）、映像デコーダ２３０は、第１の記憶領域ＡＲ１から映像用ＴＳパケットを読み出し、図９のステップＳ２６においてホストＣＰＵ１１０により特定されたＰＩＤ（指定ＰＩＤ）か否かを検出する（ステップＳ３２）。
【０１１１】
ステップＳ３２において、映像用ＴＳパケットのＰＩＤが指定ＰＩＤであると検出されたとき（ステップＳ３２：Ｙ）、映像デコーダ２３０は、ＴＳヘッダ、ＰＥＳヘッダの解析を行い（ステップＳ３３）、映像用ＥＳデータを映像用ＥＳバッファとして設けられた第４の記憶領域ＡＲ４に格納する（ステップＳ３４）。
【０１１２】
その後、映像デコーダ２３０は、映像用ＴＳバッファである第１の記憶領域ＡＲ１の読み出しアドレスを特定するための読み出しポインタを更新し（ステップＳ３５）、ステップＳ３０に戻る（リターン）。
【０１１３】
なお、ステップＳ３２において映像用ＴＳパケットのＰＩＤが指定ＰＩＤではないと検出されたとき（ステップＳ３２：Ｎ）、ステップＳ３５に進む。また、ステップＳ３０において映像用ＴＳバッファである第１の記憶領域ＡＲ１がエンプティ状態であると判別されたとき（ステップＳ３０：Ｙ）、又はステップＳ３１において映像用ＥＳバッファである第４の記憶領域ＡＲ４がフル状態であると判別されたとき（ステップＳ３１：Ｙ）、ステップＳ３０に戻る（リターン）。
【０１１４】
こうして第４の記憶領域ＡＲ４に格納された映像用ＥＳデータは、映像デコーダ２３０により、Ｈ．２６４／ＡＶＣの規格に従ったデコード処理が行われて、映像データとして第７の記憶領域ＡＲ７（図７参照）に書き込まれる。
【０１１５】
図１４に、図６及び図７の画像処理ＩＣ２００の映像デコーダの動作説明図を示す。図１４において、図１０と同一部分には同一符号を付し、適宜説明を省略する。
【０１１６】
なお図１４において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１１７】
まず図９に示すようにホストＣＰＵ１１０によりデコード処理対象の番組に対応するＰＩＤがＴＳ分離部２１０に設定される（ＳＱ２０）。チューナ９４０からＴＳが入力されたとき（ＳＱ２１）、ＴＳ分離部２１０は、チューナ９４０からのＴＳから映像用ＴＳパケット、音声用ＴＳパケット及びそれ以外のＴＳパケットをそれぞれ分離する（ＳＱ２２）。ＴＳ分離部２１０によって分離された映像用ＴＳパケットは、第１の記憶領域ＡＲ１に格納される。ＴＳ分離部２１０によって分離された音声用ＴＳパケットは、第２の記憶領域ＡＲ２に格納される。ＴＳ分離部２１０によって分離された映像用ＴＳパケット及び音声用ＴＳパケット以外のＴＳパケットは、ＰＳＩ／ＳＩとして第３の記憶領域ＡＲ３に格納される。この際、ＴＳ分離部２１０は、ＰＳＩ／ＳＩの中のＮＩＴ、ＰＭＴを抽出して第３の記憶領域ＡＲ３に格納する。
【０１１８】
次にホストＣＰＵ１１０によって起動された映像デコーダ２３０は、第１の記憶領域ＡＲ１から映像用ＴＳパケットを読み出し（ＳＱ２３）、映像用ＥＳデータを生成し、該映像用ＥＳデータを第４の記憶領域ＡＲ４に格納する（ＳＱ２４）。
【０１１９】
その後、映像デコーダ２３０は、第４の記憶領域ＡＲ４から映像用ＥＳデータを読み出して（ＳＱ２５）、Ｈ．２６４／ＡＶＣの規格に従ったデコード処理を行う。図１４では、デコード処理後の映像データが表示制御部２５０に直接供給されている（ＳＱ２６）が、例えばデコード処理後の映像データを、一旦、メモリ２２０の所定の記憶領域に書き戻し、その後、音声データの出力タイミングと同期を取りながら表示制御部２５０に供給することが望ましい。
【０１２０】
こうして表示制御部２５０に供給された映像データに基づいて、表示ドライバ１４０が表示パネルを駆動する（ＳＱ２７）。
【０１２１】
続いて、音声データの再生処理を行う音声デコーダ２４０の動作例について説明する。
【０１２２】
図１５に、音声デコーダ２４０の動作例のフロー図を示す。
【０１２３】
音声デコーダ２４０は、ホストＣＰＵ１１０によって起動されると、例えばメモリ２２０の所定の記憶領域に格納されたプログラムを読み出し、該プログラムに対応した処理を実行することで図１５に示す処理を行うことができるようになっている。即ち、音声デコーダ２４０はＣＰＵ（中央演算処理装置）を含み、画像処理ＩＣ２００（情報再生装置）の初期化処理後に、画像処理ＩＣ２００の外部から、ＣＰＵに音声デコード処理を実現するためのプログラムが読み込まれ、該ＣＰＵが音声デコード処理を実現することができる。なお、音声デコーダ２４０の処理の少なくとも一部が、組み合わせ回路や論理回路等のハードウェアによって行われてもよい。
【０１２４】
まず、音声デコーダ２４０は、音声用ＴＳバッファとして設けられた第２の記憶領域ＡＲ２がエンプティ状態か否かを判別する（ステップＳ４０）。第２の記憶領域ＡＲ２から読み出されるべき音声用ＴＳパケットがない場合、エンプティ状態となる。
【０１２５】
ステップＳ４０において音声用ＴＳバッファである第２の記憶領域ＡＲ２がエンプティ状態でないと判別されたとき（ステップＳ４０：Ｎ）、音声デコーダ２４０は、更に音声用ＥＳバッファとして設けられた第５の記憶領域ＡＲ５がフル状態か否かを判別する（ステップＳ４１）。これ以上音声用ＥＳデータを第５の記憶領域ＡＲ５に格納できない場合、フル状態となる。
【０１２６】
ステップＳ４１において音声用ＥＳバッファである第５の記憶領域ＡＲ５がフル状態でないと判別されたとき（ステップＳ４１：Ｎ）、音声デコーダ２４０は、第２の記憶領域ＡＲ２から音声用ＴＳパケットを読み出し、図９のステップＳ２６においてホストＣＰＵ１１０により特定されたＰＩＤ（指定ＰＩＤ）か否かを検出する（ステップＳ４２）。
【０１２７】
ステップＳ４２において、音声用ＴＳパケットのＰＩＤが指定ＰＩＤであると検出されたとき（ステップＳ４２：Ｙ）、音声デコーダ２４０は、ＴＳヘッダ、ＰＥＳヘッダの解析を行い（ステップＳ４３）、音声用ＥＳデータを音声用ＥＳバッファとして設けられた第５の記憶領域ＡＲ５に格納する（ステップＳ３４）。
【０１２８】
その後、音声デコーダ２４０は、音声用ＴＳバッファである第２の記憶領域ＡＲ２の読み出しアドレスを特定するための読み出しポインタを更新し（ステップＳ４５）、ステップＳ４０に戻る（リターン）。
【０１２９】
なお、ステップＳ４２において、音声用ＴＳパケットのＰＩＤが指定ＰＩＤではないと検出されたとき（ステップＳ４２：Ｎ）、ステップＳ４５に進む。また、ステップＳ４０において音声用ＴＳバッファである第２の記憶領域ＡＲ２がエンプティ状態であると判別されたとき（ステップＳ４０：Ｙ）、又はステップＳ４１において音声用ＥＳバッファである第５の記憶領域ＡＲ５がフル状態であると判別されたとき（ステップＳ４１：Ｙ）、ステップＳ４０に戻る（リターン）。
【０１３０】
こうして第５の記憶領域ＡＲ５に格納された音声用ＥＳデータは、音声デコーダ２４０により、ＭＰＥＧ−２ＡＡＣの規格に従ったデコード処理が行われて、音声データとして第８の記憶領域ＡＲ８（図７参照）に書き込まれる。
【０１３１】
図１６に、図６及び図７の画像処理ＩＣ２００の映像デコーダの動作説明図を示す。図１６において、図１０と同一部分には同一符号を付し、適宜説明を省略する。
【０１３２】
なお図１６において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１３３】
まず図９に示すようにホストＣＰＵ１１０によりデコード処理対象の番組に対応するＰＩＤがＴＳ分離部２１０に設定される（ＳＱ３０）。チューナ９４０からＴＳが入力されたとき（ＳＱ３１）、ＴＳ分離部２１０は、チューナ９４０からのＴＳから映像用ＴＳパケット、音声用ＴＳパケット及びそれ以外のＴＳパケットをそれぞれ分離する（ＳＱ３２）。ＴＳ分離部２１０によって分離された映像用ＴＳパケットは、第１の記憶領域ＡＲ１に格納される。ＴＳ分離部２１０によって分離された音声用ＴＳパケットは、第２の記憶領域ＡＲ２に格納される。ＴＳ分離部２１０によって分離された映像用ＴＳパケット及び音声用ＴＳパケット以外のＴＳパケットは、ＰＳＩ／ＳＩとして第３の記憶領域ＡＲ３に格納される。更にＴＳ分離部２１０は、ＰＳＩ／ＳＩの中のＮＩＴ、ＰＭＴを抽出して第３の記憶領域ＡＲ３の所定の記憶領域に書き込むことができる。
【０１３４】
次にホストＣＰＵ１１０によって起動された音声デコーダ２４０は、第２の記憶領域ＡＲ２から音声用ＴＳパケットを読み出し（ＳＱ３３）、音声用ＥＳデータを生成し、該音声用ＥＳデータを第５の記憶領域ＡＲ５に格納する（ＳＱ３４）。
【０１３５】
その後、音声デコーダ２４０は、第５の記憶領域ＡＲ５から音声用ＥＳデータを読み出して（ＳＱ３５）、ＭＰＥＧ−２ＡＡＣの規格に従ったデコード処理を行う。図１６では、デコード処理後の音声データがＤＡＣ１５０に直接供給されている（ＳＱ３６）が、例えばデコード処理後の音声データを、一旦、メモリ２２０の所定の記憶領域に書き戻し、その後、映像データの出力タイミングと同期を取りながらＤＡＣ１５０に供給することが望ましい。
【０１３６】
以上のような音声デコーダ２４０の動作は、映像デコーダ２３０の動作とは独立して行われる。
【０１３７】
４．  変形例
本実施形態の画像処理ＩＣ２００では、上述のようにチューナ９４０からのＴＳから分離されたＴＳパケットに基づいて映像データや音声データの再生を行うものに限定されない。例えば画像処理ＩＣ２００は、種々の再生モードを有し、各再生モードにおいて特有の再生処理を行うことができる。
【０１３８】
４．１  第１の変形例
本実施形態の第１の変形例では、画像処理ＩＣ２００が、ホストＣＰＵ１１０によって生成されたＴＳから分離されたＴＳパケットに基づいて映像データや音声データの再生を行うことができる。
【０１３９】
図１７に、本実施形態の第１の変形例における再生処理を行う場合のホストＣＰＵ１１０の処理例のフロー図を示す。ホストＣＰＵ１１０は、ＲＡＭ１２０又はＲＯＭ１３０に格納されたプログラムを読み出し、該プログラムに対応した処理を実行することで図１７に示す処理を行うことができるようになっている。
【０１４０】
まず、ホストＣＰＵ１１０は、画像処理ＩＣ２００に対し、所与の第１の再生モードを設定する（ステップＳ５０）。画像処理ＩＣ２００は、図示しないモード設定レジスタを含み、該モード設定レジスタの設定内容に対応した制御信号を画像処理ＩＣ２００に供給し、該設定内容に応じた再生処理を行うことができるようになっている。
【０１４１】
その後、ホストＣＰＵ１１０は、映像データを生成するための映像用ＴＳパケットと音声データを生成するための音声用ＴＳパケットとを多重化したＴＳを生成し（ステップＳ５１）、該ＴＳを、画像処理ＩＣ２００のメモリ２２０のＴＳＲＡＷバッファとして設けられた第６の記憶領域ＡＲ６に直接書き込み（ステップＳ５２）、一連の処理を終了する（エンド）。
【０１４２】
その後、画像処理ＩＣ２００ではＴＳ分離部２１０が、チューナ９４０からのＴＳではなく、メモリ２２０の第６の記憶領域ＡＲ６のＴＳに対して各ＴＳパケットの分離を行う。
【０１４３】
図１８に、図６及び図７の画像処理ＩＣ２００の第１の変形例における動作説明図を示す。図１８において、図１０と同一部分には同一符号を付し、適宜説明を省略する。
【０１４４】
なお図１８において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１４５】
まずホストＣＰＵ１１０がＴＳを生成し、画像処理ＩＣ２００のメモリ２２０の第６の記憶領域ＡＲ６に該ＴＳを格納する（ＳＱ４０）。
【０１４６】
その後、画像処理ＩＣ２００では、第６の記憶領域ＡＲ６のＴＳが、ＴＳ分離部２１０に供給される（ＳＱ４１）。ＴＳ分離部２１０は、ＴＳから映像用ＴＳパケット及び音声用ＴＳパケットをそれぞれ分離する（ＳＱ４２）。
【０１４７】
なお、第１の再生モードにおいては、ホストＣＰＵ１１０によって生成されるＴＳの映像用ＴＳパケットのＰＩＤ及び音声用ＴＳパケットのＰＩＤが予め決められてもよい。この場合、このＰＩＤに基づいて、ＴＳから映像用ＴＳパケット及び音声用ＴＳパケットが分離される。
【０１４８】
或いは、ホストＣＰＵ１１０によって生成されるＴＳにセクションを生成するためのＴＳパケットを多重化しておき、上記のように該セクションを解析することで、ＴＳから映像用ＴＳパケット及び音声用ＴＳパケットを分離してもよい。
【０１４９】
こうしてＴＳ分離部２１０によって分離された映像用ＴＳパケットは、第１の記憶領域ＡＲ１に格納される。ＴＳ分離部２１０によって分離された音声用ＴＳパケットは、第２の記憶領域ＡＲ２に格納される。
【０１５０】
次にホストＣＰＵ１１０によって起動された映像デコーダ２３０は、第１の記憶領域ＡＲ１から映像用ＴＳパケットを読み出し（ＳＱ４３）、映像用ＥＳデータを生成し、該映像用ＥＳデータを第４の記憶領域ＡＲ４に格納する（ＳＱ４４）。
【０１５１】
その後、映像デコーダ２３０は、第４の記憶領域ＡＲ４から映像用ＥＳデータを読み出して（ＳＱ４５）、Ｈ．２６４／ＡＶＣの規格に従ったデコード処理を行う。図１８では、デコード処理後の映像データが表示制御部２５０に直接供給されている（ＳＱ４６）が、例えばデコード処理後の映像データを、一旦、メモリ２２０の所定の記憶領域に書き戻し、その後、音声データの出力タイミングと同期を取りながら表示制御部２５０に供給することが望ましい。
【０１５２】
こうして表示制御部２５０に供給された映像データに基づいて、表示ドライバ１４０が表示パネルを駆動する（ＳＱ４７）。
【０１５３】
また、映像デコーダ２３０の動作とは独立して、メモリ２２０へのアクセスを行う音声デコーダ２４０は、ホストＣＰＵ１１０によって起動されると、第２の記憶領域ＡＲ２から音声用ＴＳパケットを読み出し（ＳＱ４８）、音声用ＥＳデータを生成し、該音声用ＥＳデータを第５の記憶領域ＡＲ５に格納する（ＳＱ４９）。
【０１５４】
その後、音声デコーダ２４０は、第５の記憶領域ＡＲ５から音声用ＥＳデータを読み出して（ＳＱ５０）、ＭＰＥＧ−２ＡＡＣの規格に従ったデコード処理を行う。図１８では、デコード処理後の音声データがＤＡＣ１５０に直接供給されている（ＳＱ５１）が、例えばデコード処理後の音声データを、一旦、メモリ２２０の所定の記憶領域に書き戻し、その後、映像データの出力タイミングと同期を取りながらＤＡＣ１５０に供給することが望ましい。
【０１５５】
第１の変形例によれば、ホストからのＴＳについても、低消費電力で映像データ及び音声データを再生できる情報再生装置を提供できる。
【０１５６】
４．２  第２の変形例
本実施形態の第２の変形例では、Ｈ．２６４／ＡＶＣ（Advanced Video Coding）データとＭＰＥＧ−２ＡＡＣ（Advanced Audio Coding）データとが多重化されたＭＰ４（Moving Picture Experts Group phase 4）データ、３ＧＰ（3rd Generation Partnership Project）データ又は３Ｇ２（3rd Generation Partnership Project 2）データから、映像用ＥＳデータ及び音声用ＥＳデータが生成される。そして、画像処理ＩＣ２００が、この映像用ＥＳデータ及び音声用ＥＳデータに基づいて映像データや音声データの再生を行うことができる。この映像用ＥＳデータ及び音声用ＥＳデータは、ホストＣＰＵ１１０により生成される。
【０１５７】
図１９に、本実施形態の第２の変形例における再生処理を行う場合のホストＣＰＵ１１０の処理例のフロー図を示す。ホストＣＰＵ１１０は、ＲＡＭ１２０又はＲＯＭ１３０に格納されたプログラムを読み出し、該プログラムに対応した処理を実行することで図１９に示す処理を行うことができるようになっている。
【０１５８】
まず、ホストＣＰＵ１１０は、画像処理ＩＣ２００に対し、所与の第２の再生モードを設定する（ステップＳ６０）。画像処理ＩＣ２００は、図示しないモード設定レジスタを含み、該モード設定レジスタの設定内容に対応した制御信号を画像処理ＩＣ２００に供給し、該設定内容に応じた再生処理を行うことができるようになっている。
【０１５９】
その後、ホストＣＰＵ１１０は、ＭＰ４データ、３ＧＰデータ又は３Ｇ２データから映像用ＥＳデータ、音声用ＥＳデータを生成する（ステップＳ６１）。このＭＰ４データ、３ＧＰデータ又は３Ｇ２データは、ホストＣＰＵ１１０によって生成されたり、ホストＣＰＵ１１０の外部から供給される。ホストＣＰＵ１１０は、このようなＭＰ４データ、３ＧＰデータ又は３Ｇ２データから、映像デコーダ２３０や音声デコーダ２４０が行ったＴＳヘッダやＰＥＳヘッダを解析して映像用ＥＳデータ及び音声用ＥＳデータを生成する。
【０１６０】
こうして生成した映像用ＥＳデータ及び音声用ＥＳデータは、ホストＣＰＵ１１０が、直接メモリ２２０の映像用ＥＳバッファ及び音声用ＥＳバッファに格納し（ステップＳ６２）、一連の処理を終了する（エンド）。
【０１６１】
その後、画像処理ＩＣ２００では、映像デコーダ２３０及び音声デコーダ２４０が、映像用ＥＳデータ及び音声用ＥＳデータに基づいて映像デコード処理及び音声デコード処理を行う。
【０１６２】
図２０に、図６及び図７の画像処理ＩＣ２００の第２の変形例における動作説明図を示す。図２０において、図１０と同一部分には同一符号を付し、適宜説明を省略する。
【０１６３】
なお図２０において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１６４】
まずホストＣＰＵ１１０は、ＭＰ４データ、３ＧＰデータ又は３Ｇ２データから生成した映像用ＥＳデータを、画像処理ＩＣ２００のメモリ２２０の第４の記憶領域ＡＲ４に格納すると共に、ＭＰ４データ、３ＧＰデータ又は３Ｇ２データから生成した音声用ＥＳデータを、画像処理ＩＣ２００のメモリ２２０の第５の記憶領域ＡＲ５に格納する（ＳＱ６０）。
【０１６５】
その後、画像処理ＩＣ２００では、ホストＣＰＵ１１０によって起動された映像デコーダ２３０が、第４の記憶領域ＡＲ４から映像用ＥＳデータを読み出し（ＳＱ６１）、Ｈ．２６４／ＡＶＣの規格に従ったデコード処理を行う。図２０では、デコード処理後の映像データが表示制御部２５０に直接供給されている（ＳＱ６２）が、例えばデコード処理後の映像データを、一旦、メモリ２２０の所定の記憶領域に書き戻し、その後、音声データの出力タイミングと同期を取りながら表示制御部２５０に供給することが望ましい。
【０１６６】
こうして表示制御部２５０に供給された映像データに基づいて、表示ドライバ１４０が表示パネルを駆動する（ＳＱ６３）。
【０１６７】
また、映像デコーダ２３０の動作とは独立して、メモリ２２０へのアクセスを行う音声デコーダ２４０は、ホストＣＰＵ１１０によって起動されると、第５の記憶領域ＡＲ５から音声用ＥＳデータを読み出して（ＳＱ６４）、ＭＰＥＧ−２ＡＡＣの規格に従ったデコード処理を行う。図２０では、デコード処理後の音声データがＤＡＣ１５０に直接供給されている（ＳＱ６５）が、例えばデコード処理後の音声データを、一旦、メモリ２２０の所定の記憶領域に書き戻し、その後、映像データの出力タイミングと同期を取りながらＤＡＣ１５０に供給することが望ましい。
【０１６８】
第２の変形例によれば、低消費電力でＭＰ４データ、３ＧＰデータ又は３Ｇ２データを再生できる情報再生装置を提供できる。
【０１６９】
４．３  第３の変形例
本実施形態の第３の変形例では、画像処理ＩＣ２００は、ＭＰＥＧ−２ＡＡＣ（Advanced Audio Coding）データであるＡＡＣデータからホストＣＰＵ１１０によって生成された音声用ＴＳデータに基づいて音声データの再生を行うことができる。
【０１７０】
図２１に、本実施形態の第３の変形例における再生処理を行う場合のホストＣＰＵ１１０の処理例のフロー図を示す。ホストＣＰＵ１１０は、ＲＡＭ１２０又はＲＯＭ１３０に格納されたプログラムを読み出し、該プログラムに対応した処理を実行することで図２１に示す処理を行うことができるようになっている。
【０１７１】
まず、ホストＣＰＵ１１０は、画像処理ＩＣ２００に対し、所与の第３の再生モードを設定する（ステップＳ７０）。画像処理ＩＣ２００は、図示しないモード設定レジスタを含み、該モード設定レジスタの設定内容に対応した制御信号を画像処理ＩＣ２００に供給し、該設定内容に応じた再生処理を行うことができるようになっている。
【０１７２】
その後、ホストＣＰＵ１１０は、ＡＡＣデータから音声用ＥＳデータを生成する（ステップＳ７１）。このＡＡＣデータは、ホストＣＰＵ１１０によって生成されたり、ホストＣＰＵ１１０の外部から供給される。ホストＣＰＵ１１０は、このようなＡＡＣデータから、音声デコーダ２４０が行ったＴＳヘッダやＰＥＳヘッダを解析して音声用ＥＳデータを生成する。
【０１７３】
こうして生成した音声用ＥＳデータは、ホストＣＰＵ１１０が、直接メモリ２２０の音声用ＥＳバッファに格納し（ステップＳ７２）、一連の処理を終了する（エンド）。
【０１７４】
その後、画像処理ＩＣ２００では、音声デコーダ２４０が、音声用ＥＳデータに基づいて音声デコード処理を行う。
【０１７５】
図２２に、図６及び図７の画像処理ＩＣ２００の第３の変形例における動作説明図を示す。図２２において、図１０と同一部分には同一符号を付し、適宜説明を省略する。
【０１７６】
なお図２２において、第７の記憶領域ＡＲ７を第４の記憶領域ＡＲ４と共用化し、第８の記憶領域ＡＲ８を第５の記憶領域ＡＲ５と共用化している。また、ＰＳＩ／ＳＩ、ＮＩＴ、ＰＭＴは、第３の記憶領域ＡＲ３内の所定の記憶領域に格納されるものとする。
【０１７７】
まずホストＣＰＵ１１０は、ＡＡＣデータから生成した音声用ＥＳデータを、画像処理ＩＣ２００のメモリ２２０の第５の記憶領域ＡＲ５に格納する（ＳＱ７０）。
【０１７８】
その後、画像処理ＩＣ２００では、ホストＣＰＵ１１０によって起動された音声デコーダ２４０は、第５の記憶領域ＡＲ５から音声用ＥＳデータを読み出して（ＳＱ７１）、ＭＰＥＧ−２ＡＡＣの規格に従ったデコード処理を行う。図２２では、デコード処理後の音声データがＤＡＣ１５０に直接供給されている（ＳＱ７２）が、これに限定される者ではなく、例えばデコード処理後の音声データを、一旦、メモリ２２０の所定の記憶領域に書き戻してもよい。
【０１７９】
この第３の再生モードが設定されている場合には、映像デコーダの動作を停止させることが望ましい。
【０１８０】
第３の変形例によれば、低消費電力でＡＡＣデータを再生できる情報再生装置を提供できる。
【０１８１】
なお、本発明は上述した実施の形態に限定されるものではなく、本発明の要旨の範囲内で種々の変形実施が可能である。なお上記の実施形態又はその変形例では、地上デジタル放送に適用可能な例について説明したが、本発明は地上デジタル放送に適用可能なものに限定されるものではない。
【０１８２】
また、本発明のうち従属請求項に係る発明においては、従属先の請求項の構成要件の一部を省略する構成とすることもできる。また、本発明の１の独立請求項に係る発明の要部を、他の独立請求項に従属させることもできる。
【図面の簡単な説明】
【０１８３】
【図１】地上デジタル放送のセグメントの概念の説明図。
【図２】ＴＳの説明図。
【図３】ＰＥＳパケット及びセクションの説明図。
【図４】本実施形態の比較例におけるマルチメディア処理ＣＰＵを含む携帯電話機の構成例のブロック図。
【図５】本実施形態の情報再生装置を含む携帯電話機の構成例のブロック図。
【図６】図５の画像処理ＩＣの構成例のブロック図。
【図７】図６の画像処理ＩＣの動作説明図。
【図８】ホストＣＰＵによる再生処理の動作例のフロー図。
【図９】図８の放送受信開始処理の処理例のフロー図。
【図１０】図６及び図７の画像処理ＩＣの放送受信開始処理における動作説明図。
【図１１】図８の放送受信終了処理の処理例のフロー図。
【図１２】図６及び図７の画像処理ＩＣの放送受信終了処理における動作説明図。
【図１３】映像デコーダの動作例のフロー図。
【図１４】図６及び図７の画像処理ＩＣの映像デコーダの動作説明図。
【図１５】音声デコーダの動作例のフロー図。
【図１６】図６及び図７の画像処理ＩＣの映像デコーダの動作説明図。
【図１７】本実施形態の第１の変形例における再生処理を行う場合のホストＣＰＵの処理例のフロー図。
【図１８】図６及び図７の画像処理ＩＣの第１の変形例における動作説明図。
【図１９】本実施形態の第２の変形例における再生処理を行う場合のホストＣＰＵの処理例のフロー図。
【図２０】図６及び図７の画像処理ＩＣの第２の変形例における動作説明図。
【図２１】本実施形態の第３の変形例における再生処理を行う場合のホストＣＰＵの処理例のフロー図。
【図２２】図６及び図７の画像処理ＩＣの第３の変形例における動作説明図。
【符号の説明】
【０１８４】
１００  携帯電話機、  １１０  ホストＣＰＵ、  １２０  ＲＡＭ、  １３０  ＲＯＭ、１４０  表示ドライバ、  １５０  ＤＡＣ、  ２００  画像処理ＩＣ、
２１０  ＴＳ分離部、  ２２０  メモリ、  ２３０  映像デコーダ、
２４０  音声デコーダ、  ２５０  表示制御部、  ２６０  チューナＩ／Ｆ、
２７０  ホストＩ／Ｆ、  ２８０  ドライバＩ／Ｆ、  ２９０  オーディオＩ／Ｆ、
９４０  チューナ、  ９６０  表示パネル、  ９７０  スピーカ、
９１０、９３０  アンテナ
【図１】
2007166597.tif 000003
【図２】
2007166597.tif 000004
【図３】
2007166597.tif 000005
【図４】
2007166597.tif 000006
【図５】
2007166597.tif 000007
【図６】
2007166597.tif 000008
【図７】
2007166597.tif 000009
【図８】
2007166597.tif 000010
【図９】
2007166597.tif 000011
【図１０】
2007166597.tif 000012
【図１１】
2007166597.tif 000013
【図１２】
2007166597.tif 000014
【図１３】
2007166597.tif 000015
【図１４】
2007166597.tif 000016
【図１５】
2007166597.tif 000017
【図１６】
2007166597.tif 000018
【図１７】
2007166597.tif 000019
【図１８】
2007166597.tif 000020
【図１９】
2007166597.tif 000021
【図２０】
2007166597.tif 000022
【図２１】
2007166597.tif 000023
【図２２】
2007166597.tif 000024